(57)【要約】【課題】収容した植物へ光を照射する光源の位置を変えることができるようにした植物栽培装置を提供する。【解決手段】栽培培地１００に植えられた植物１０１を収容して栽培するとともに収容した植物１０１を外部から観賞できる植物栽培装置１は、栽培培地１００に植えられた植物１０１を載置台１０に載置して該載置台１０に着脱可能に積み重ねられた透明な筒体２０の内側に収容し、筒体２０の上に着脱可能に天井部３０を載置し、光源４０を筒体２０に形成した光源装着部２３に着脱可能に装着して筒体２０の内側を照射できるようにした。【選択図】図１
2014233201.tif 000002
【特許請求の範囲】
【請求項１】
栽培培地に植えられた植物を収容して栽培するとともに収容した植物を外部から観賞できる植物栽培装置において、
栽培培地に植えられた植物を載置するための載置台と、該載置台に着脱可能に積み重ねられた透明な筒体と、該筒体の上に着脱可能に載置された天井部と、前記筒体の内側を照射する光源と、を備え、
前記筒体は、前記光源を着脱可能に装着するための光源装着部が形成され、
前記筒体内に植物を収容するようにしたことを特徴とする植物栽培装置。
【請求項２】
前記光源装着部は、前記筒体の上辺部の上端縁から切り欠いて形成した窪み、前記筒体の下辺部の下端縁から切り欠いて形成した窪み、および前記筒体の側壁に穿設した貫通孔の少なくとも何れか一種類であることを特徴とする請求項１に記載の植物栽培装置。
【請求項３】
前記光源は、内部に電源を具備したものであることを特徴とする請求項１または２に記載の植物栽培装置。
【請求項４】
前記光源に電気を供給する電源部を前記載置台に内蔵し、前記電源部と前記光源とを接続する配線を有することを特徴とする請求項１または２に記載の植物栽培装置。
【請求項５】
前記天井部に前記光源を着脱可能に取り付けるための光源取付部を形成したことを特徴とする請求項１から４のいずれか一項に記載の植物栽培装置。
【請求項６】
前記光源は、前記光源装着部に装着したときに、発光部が前記筒体の内側の載置空間に位置するものであることを特徴とする請求項１から５のいずれか一項に記載の植物栽培装置。
【請求項７】
前記光源は、前記光源装着部に装着したときに、発光部が前記筒体の外側に位置するものであることを特徴とする請求項１から５のいずれか一項に記載の植物栽培装置。
【発明の詳細な説明】
【技術分野】
【０００１】
本発明は、栽培培地に植えられた植物を収容して栽培するとともに収容した植物を外部から観賞できる植物栽培装置に関する。
【背景技術】
【０００２】
従来の植物栽培装置としては、例えば特許文献１に示すようなものがある。  
すなわち、透過性のあるボトル体、該ボトル体の下開口部に装着するカップ台、ボトル体の上開口部に装着する蓋体から構成されており、カップ台には栽培培地を充填し、該充填した栽培培地に植物を植え込むようにした植物栽培ボトルである。
【０００３】
この植物栽培ボトルの蓋体下側には発光装置が設けられており、低光源下または無光環境であっても明瞭に観賞することができる。これにより、ボトル体内の栽培培地に植えた植物を育成しながらいつでも観賞することができる。
【先行技術文献】
【特許文献】
【０００４】
【特許文献１】実用新案登録第３１７８３６２号公報
【発明の概要】
【発明が解決しようとする課題】
【０００５】
しかしながら、このような従来の技術では、発光装置が蓋体に設けられており、発光装置からの光は植物の真上からの照射される光に固定されているため、植物の育成状態や観賞の際の気分によって光源の位置を変えて光源から植物への光の照射角度等の照射状態を変えることができないという問題点があった。  
また、発光装置や電源装置および電源スイッチ等がボトル体の上開口部に装着する蓋体に設けられているためにトップヘビーとなり、転倒し易いという問題点もあった。
【０００６】
後者の転倒の問題点を解決するために基底部を大きく且つ重くしたものが有るが、基底部を大きくするとそれだけ嵩張ることになり、配置位置に制限が生じたり、邪魔になったりすることも有り得る。
【０００７】
本発明は、このような従来の技術が有する問題点に着目してなされたもので、収容した植物へ光を照射する光源の位置を変えることができるようにした植物栽培装置を提供することを目的としている。  
さらに、植物栽培装置の載置部を大きくすることなく、安定した状態に設置できる植物栽培装置を提供することを目的としている。
【課題を解決するための手段】
【０００８】
前述した目的を達成するための本発明の要旨とするところは、次の各項の発明に存する。  
［１］栽培培地（１００）に植えられた植物（１０１）を収容して栽培するとともに収容した植物（１０１）を外部から観賞できる植物栽培装置（１，１Ａ）において、
栽培培地（１００）に植えられた植物（１０１）を載置するための載置台（１０）と、該載置台（１０）に着脱可能に積み重ねられた透明な筒体（２０）と、該筒体（２０）の上に着脱可能に載置された天井部（３０）と、前記筒体（２０）の内側を照射する光源（４０，４０Ａ，４０Ｂ，４０Ｃ）と、を備え、
前記筒体（２０）は、前記光源（４０，４０Ａ，４０Ｂ，４０Ｃ）を着脱可能に装着するための光源装着部（２３）が形成され、
前記筒体（２０）内に植物（１０１）を収容するようにしたことを特徴とする植物栽培装置（１，１Ａ）。
【０００９】
［２］前記光源装着部（２３）は、前記筒体（２０）の上辺部（２１）の上端縁から切り欠いて形成した窪み、前記筒体（２０）の下辺部（２２）の下端縁から切り欠いて形成した窪み、および前記筒体（２０）の側壁に穿設した貫通孔の少なくとも何れか一種類であることを特徴とする項［１］に記載の植物栽培装置（１，１Ａ）。
【００１０】
［３］前記光源（４０，４０Ａ，４０Ｂ）は、内部に電源を具備したものであることを特徴とする項［１］または［２］に記載の植物栽培装置（１）。
【００１１】
［４］前記光源（４０Ｃ）に電気を供給する電源部を前記載置台（１０）に内蔵し、前記電源部と前記光源（４０Ｃ）とを接続する配線（５０）を有することを特徴とする項［１］または［２］に記載の植物栽培装置（１Ａ）。
【００１２】
［５］前記天井部（３０）に前記光源（４０，４０Ａ，４０Ｂ，４０Ｃ）を着脱可能に取り付けるための光源取付部（３２）を形成したことを特徴とする項［１］から［４］のいずれか一項に記載の植物栽培装置（１，１Ａ）。
【００１３】
［６］前記光源（４０，４０Ａ，４０Ｃ）は、前記光源装着部（２３）に装着したときに、発光部（４１）が前記筒体（２０）の内側の載置空間（１１）に位置するものであることを特徴とする項［１］から［５］のいずれか一項に記載の植物栽培装置（１，１Ａ）。
【００１４】
［７］前記光源（４０Ｂ）は、前記光源装着部（２３）に装着したときに、発光部（４１）が前記筒体（２０）の外側に位置するものであることを特徴とする項［１］から［５］のいずれか一項に記載の植物栽培装置（１，１Ａ）。
【００１５】
前記本発明は次のように作用する。  
項［１］および［２］の植物栽培装置（１，１Ａ）によれば、収容した植物へ光を照射する光源（４０，４０Ａ，４０Ｂ，４０Ｃ）の位置を変えるためには、載置台（１０）に着脱可能に積み重ねられた筒体（２０）の例えば上辺部（２１）や下辺部（２２）や筒体（２０）の側壁等に形成された光源装着部（２３）に装着してある光源（４０，４０Ａ，４０Ｂ，４０Ｃ）を取り外して、適宜に選択した他の光源装着部（２３）に装着すれば良い。これにより、収容した植物（１０１）へ光を照射する光源（４０，４０Ａ，４０Ｂ，４０Ｃ）の位置を変えることができる。
【００１６】
項［３］の植物栽培装置（１）によれば、光源（４０，４０Ａ，４０Ｂ）は、内部に電源、例えばボタン電池を具備しているので、光源（４０，４０Ａ，４０Ｂ）は他の構成部材とは別体のものとなり、光源（４０，４０Ａ，４０Ｂ）の装着位置の変更が容易であるとともに装着の自由度が大きくなる。また、電源も含めて光源（４０，４０Ａ，４０Ｂ）を重量の軽いものとすることができるので、装置全体としてトップヘビーとなることを避けることができ、以って装置を安定した状態に設置することができる。さらに、光の色の異なるものを用意しておくことにより、気分によって異なる色の光を植物（１０１）に当てて楽しむことができる。
【００１７】
また、項［４］の植物栽培装置（１Ａ）のように、例えばＡＣアダプターのような電源部を載置台（１０）に内蔵し、電源部と前記光源（４０Ｃ）とを接続する配線（５０）を有するようにしたものでは、重量のある電源部が植物栽培装置（１Ａ）の最下部近くに位置するので重心が低くなる。これによって植物栽培装置（１Ａ）は転倒し難くなり、安定した状態に設置することができる。
【００１８】
項［５］の植物栽培装置（１，１Ａ）によれば、天井部（３０）にも光源取付部（３２）を形成してあるので、植物に光を照射する位置の選択枝が増える。したがって、植物の育成の点からは、より適切な照射方向を選択することができる。また、観賞の点からは、より好みの位置からの光照射を選択して楽しむことができる。
【００１９】
項［６］の植物栽培装置（１，１Ａ）によれば、光源（４０，４０Ａ，４０Ｃ）の発光部（４１）が筒体（２０）の内側の載置空間（１１）内に位置するので、発光部（４１）からの照射光を直接に植物に当てることができる。  
【００２０】
また、項［７］の植物栽培装置（１，１Ａ）によれば、光源（４０Ｂ）の発光部（４１）が筒体（２０）の外側に位置するので、発光部（４１）の照射光は、筒体（２０）を介して植物（１０１）を照射するので、直接に植物を照射する場合とは異なった趣を得ることができる。
【発明の効果】
【００２１】
本発明にかかる植物栽培装置によれば、適宜に光源装着部を選択して光源を装着できるので、光源をその時々の植物の育成状態に適した位置に移動させて育成を促進したり、好みの位置に移動させて植物への照射光の当り具合の変化を楽しんだりすることができる。
【００２２】
また、本発明にかかる植物栽培装置によれば、光源が別体で単独に移動可能なものであり、重量が軽く装置がトップヘビーになることがなく、安定した倒れにくいものとすることができる。
【００２３】
また、ＡＣアダプター等の重量のある電源部を載置台に内蔵して該電源部からの配線によって電気供給をするものでは、装置全体の重心が低くなるので、植物栽培装置を安定した倒れにくいものにできる。
【図面の簡単な説明】
【００２４】
【図１】本発明の第１の実施の形態に係る植物栽培装置の構成の概略を示す模式図である。
【図２】本発明の第１の実施の形態に係る植物栽培装置を示す分解斜視図である。
【図３】図１における２つの積み重なった筒体を示す斜視図である。
【図４】図３における光源装着部を拡大して示す斜視図である。
【図５】図４の光源装着部を示す正面図である。
【図６】図４の矢印方向から見た断面図である。
【図７】図１における光源を示す斜視図である。
【図８】図７の光源を示す正面図である。
【図９】図７の光源を示す底面図である。
【図１０】図７の光源とは異なる光源を光源装着部に装着した状態を示す平面図である。
【図１１】図１０の光源とは異なる光源を装着した状態を示す平面図である。
【図１２】本発明の第２の実施の形態に係る植物栽培装置を示す分解斜視図である。
【発明を実施するための形態】
【００２５】
以下、図面に基づき本発明の好適な各種の実施の形態を説明する。  
図１から図１１までは本発明の第１の実施の形態を示している。  
図１は、第１の実施の形態に係る植物栽培装置の構成の概略を示す模式図であり、図２は、本発明の第１の実施の形態に係る植物栽培装置を示す分解斜視図である。
【００２６】
図１に示すように、植物栽培装置１は、栽培培地１００に植えられた植物１０１を収容して栽培するとともに収容した植物１０１を外部から観賞することができるものであり、カップＣ等の器に入れた栽培培地１００に植えられた植物１０１を載置するための載置台１０と、この載置台１０に着脱可能に積み重ねられた透明な筒体２０と、この筒体２０の上に着脱可能に載置された天井部３０と、筒体２０の内側の載置空間１１を照射するための光源４０とを備えている。
【００２７】
載置台１０の上方は、筒体２０によって画成された載置空間１１が形成されている。例示した筒体２０は、円筒状に形成されており、２つが着脱可能に積み重ねられている。これらの筒体２０は透明性の高い素材により成形されている。素材としては、例えばアクリル樹脂やポリエチレンテレフタレート（ＰＥＴ）やポリカーボネート（ＰＣ）であり、他にも飽和ポリエステル樹脂等の透明素材を用いることができる。
【００２８】
筒体２０の上には、天井部３０が載置されている。天井部３０は、円筒状の筒体２０に合わせて、円形のシャーレのような形状のものである。
【００２９】
筒体２０の上辺部２１の端面には、窪み２４が形成されている。また、下辺部２２の端面には、下に置かれた筒体２０の窪み２４に嵌る不図示の突起が形成されている。これにより、下方の筒体２０の窪み２４に上方の筒体２０の突起が嵌るようにそれらの位置を合わせて、複数個の筒体２０を着脱可能に積み重ねることができる。なお、上辺部２１の端面に形成した窪み２４に代えて突起を形成し、下辺部２２の端面に形成した突起に代えて窪みを形成しても良い。
【００３０】
筒体２０の上に載置する天井部３０にも筒体２０の上辺部２１の上端面に形成した窪み２４に嵌る突起あるいは筒体２０の上辺部２１の上端面に突起が形成されている場合には当該突起が嵌る窪みを形成することにより、筒体２０と天井部３０とを着脱可能とし、且つしっかりと装着することができる。一方、載置台１０の上面である載置面１２にも同様の窪みあるいは突起を設けてもよいが、本実施の形態においては、筒体２０の下端縁を嵌め込むことができる嵌め込み溝１３が載置面１２に刻設されている。
【００３１】
また、筒体２０は、その上辺部２１の上端縁から下方に切欠きを入れて凹状に窪みを形成した光源装着部２３を有している。この光源装着部２３は、光源４０を着脱可能に取り付けるための部位である。図示した例では、１つの上辺部２１に光源装着部２３が１つ形成されているが、上端の円周上に等間隔またはランダムな間隔で複数個所に光源装着部２３を形成してもよい。なお、光源装着部２３は、筒体２０の側壁を貫通させた貫通孔でもよい。
【００３２】
図３に示し、さらに図４から図５までに拡大して示したように、光源装着部２３の底面および該底面の両端から延びる両側面それぞれには窪み２５が１つ形成されている。この窪み２５は、次に説明する光源４０を装着する際に、該光源４０の取付部４２に設けられた突起４３が嵌まり込む部位である。
【００３３】
図７は、上記の光源装着部２３に装着する光源４０を背面寄りから見た斜視図であり、図８は、光源４０の正面図である。例示した光源４０にはＬＥＤ４１がサイコロの「５」の目を示す面のように配置されている。光源４０は、正面および背面が正方形の面を有する箱状の筐体Ｈを有している。この筐体Ｈの上端面には長穴４５が穿設されており、この長穴４５に沿って往復動可能なスイッチ４６が設けられている。このスイッチ４６の操作によってＬＥＤ４１の点灯および消灯をすることができる。
【００３４】
この光源４０は、不図示のボタン電池を電源として筐体Ｈ内に交換可能に収められている。光源４０の背面側の中央部には、筒体２０の光源装着部２３に装着するための取付部４２が設けられている。
【００３５】
図７および図９に示したように、取付部４２は、光源装着部２３に嵌る形状および大きさを有する薄い四角柱状に形成されている。この取付部４２の側面には、前記の突起４３が設けられている。この取付部４２を光源装着部２３に嵌めると、突起４３が光源装着部２３の窪み２５に嵌入するので、光源４０は筒体２０に確実に装着することができる。この光源４０を光源装着部２３に装着すると図１に示したように装着される。すなわち、光源４０の略全体が筒体２０内側の載置空間１１に収まっている。
【００３６】
図１０は、取付部４２が光源４０とは異なる光源４０Ａを光源装着部２３に取り付けた状態を示す平面図である。この光源４０Ａは、取付部４２の正面側に抜け止４７が設けられたものである。取付部４２が設けられた筐体Ｈの背面とこれに対面する抜け止４７との間隔は、筒体２０の厚さよりも僅かに大きく取られている。この抜け止４７を設けた場合には、突起４３を設けなくてもよいが突起４３を設けることにより、がたつきがなく、確実にしっかりと光源４０Ａを光源装着部２３に装着することができる。
【００３７】
図１１は、取付部４２Ａの設けられた面が光源４０Ａとは異なる光源４０Ｂを光源装着部２３に取り付けた状態を示す平面図である。光源４０Ｂは、取付部４２Ａが筐体Ｈの正面に設けられている点が光源４０Ａとは異なっている。したがって、取付部４２ＡとＬＥＤ４１とが筐体Ｈの正面に設けられている。この取付部４２Ａには、抜け止４７Ａが設けられている。
【００３８】
取付部４２Ａは、筐体Ｈの正面の中央に設けられている。したがって、図示したように光源４０Ｂは、光源４０および光源４０Ａとは異なって、略全体が筒体２０の外側に位置している。一方、取付部４２Ａは、筒体２０の内側の載置空間１１側に位置している。取付部４２Ａが設けられた筐体Ｈの正面とこれに対面する抜け止４７Ａとの間隔は、光源４０Ｂを光源装着部２３に取り付けたときにＬＥＤ４１が前記間隔に収まるだけの大きさを有している。
【００３９】
図２に示したように、積み重ねた筒体２０の最上位の筒体２０に載置される天井部３０には、光源を取り付ける光源取付部３２が穿設されている。この光源取付部３２には、例えば発光部４１が載置空間１１内に位置する光源４０Ａのようなものの場合、取付部４２に設けられた抜け止４７を取付部４２に着脱可能なものとすることにより容易に取り付けることができる。
【００４０】
また、光源の発光部が天井部３０の外側に位置する光源４０Ｂのような光源を光源取付部３２に取り付ける場合、光源４０Ｂの取付部４２Ａから抜け止４７Ａを除いた光源とし、取付部４２Ａを光源取付部３２に嵌めればよい。このような光源の場合、取付部４２Ａに相当する部分を光源取付部３２に嵌入させればよい。この場合、天井部３０は、少なくとも光源取付部３２の周縁部を透明なものとすることになる。
【００４１】
この天井部３０は、載置台１０に対面する下面側に、光を反射するための反射面３１を形成してもよい。この反射面３１は、例えば平面鏡、凸面鏡、凹面鏡等の鏡面としたものである。また、鏡面に光を乱反射させるための凹部若しくは凸部または凹部と凸部双方を形成してもよい。天井部３０には、金属、プラスチック、ガラス等を用いることができる。
【００４２】
次に本実施の形態に係る植物栽培装置１の作用を説明する。  
植物栽培装置１に植物１０１を収容するときは、例えば載置台１０に積み重ねられている筒体２０を全て取り外してから、カップＣ等の器に入れた栽培培地１００に植えられた植物１０１をカップＣごと載置台１０に載せる。
【００４３】
次に、載置台１０の上に筒体２０を載せる。筒体２０は、収容する植物１０１の高さ等を考慮して、１つだけを載せてもよいし、２個以上を積み重ねてもよい。この際、下の筒体２０の上辺部２１の端面の窪み２４に上の筒体２０の下辺部２２の端面に形成された突起を嵌入させる。また、最上位の筒体２０の上辺部２１の端面の窪み２４には、天井部３０の下面に形成された突起を嵌入させる。これにより、確実にしっかりと筒体２０を積み重ねたり、天井部３０を筒体２０の上に載せたりすることができる。
【００４４】
筒体２０を載せる際に、筒体２０の光源装着部２３や天井部３０の光源取付部３２に光源４０を容易に装着することができる。光源４０は、適宜に光源装着部２３や光源取付部３２を選択して装着することができる。光源４０Ａおよび光源４０Ｂも光源４０と同様にして筒体２０や天井部３０に装着することができる。
【００４５】
光源４０，４０Ａ，４０Ｂを点灯および消灯させるには、それらの筐体Ｈに設けられたスイッチ４６を操作して行う。光源４０および光源４０Ａの場合は、筒体２０や天井部３０に装着した状態で筐体Ｈが載置空間１１内にあるので、点灯から消灯および消灯から点灯へ切り替える操作を行うときは筒体２０または天井部３０を外して行う。筒体２０および天井部３０は容易に取り外せるので、ほとんど手間を掛けずにスイッチ操作をすることができる。
【００４６】
一方、光源４０Ｂの場合は、筒体２０や天井部３０に装着した状態で筐体Ｈが載置空間１１の外側にあるので、筒体２０や天井部３０を外すことなく、より容易にスイッチ操作することができる。光源４０，４０Ａ，４０Ｂを点灯させると、射光した光のうち、反射面３１で反射された光は、反射面３１の形状や表面処理の形態によって様々な光照射をすることができる。
【００４７】
このような光の照射が可能であるので、植物栽培装置１は、植物１０１の育成効果を上げることができるとともに観賞の点でも異なる印象をもたらすような演出をすることができる。また、光源４０，４０Ａ，４０Ｂにはボタン電池が内蔵されたものであり、一つ一つの重量は軽いので、天井部３０など植物栽培装置１の上部に光源４０，４０Ａ，４０Ｂを装着してもトップヘビーになることはない。したがって、植物栽培装置１は、安定した状態に設置することができる。
【００４８】
次に本発明の第２の実施の形態について説明する。  
図１２は本発明の第２の実施の形態を示している。  
本実施の形態に係る植物栽培装置１Ａでは、光源４０Ｃの電源を交流電源とした点のみが第１の実施の形態に係る植物栽培装置１とは異なっている。このため、植物栽培装置１と同一の部材には同一の符号を付してある。
【００４９】
本実施の形態では、交流電源を電源にしており、載置台１０の内部には、ＡＣアダプター等の重い電源部が収納されている。この電源部からは電線（配線）５０が延びている。この電線５０の一端には光源４０Ｃが接続されている。光源４０Ｃは、光源４０，４０Ａ，４０Ｂの何れかと同様の外形を成すものである。光源４０Ｃの外形が光源４０と同様のものの場合には、電線５０の先端は取付部４２から光源４０Ｃの内部に入っている。
【００５０】
光源４０Ｃの外形が光源４０Ａと同様のものの場合には、電線５０の先端は抜け止４７から光源４０Ｃの内部に入っている。また、光源４０Ｃの外形が光源４０Ｂと同様のものの場合には、電線５０の先端は筐体Ｈの周囲側面から光源４０Ｃの内部に入っている。
【００５１】
本実施の形態では、載置台１０内にＡＣアダプター等の重い電源部が収納されているので、重心が低い位置にある。これにより、植物栽培装置１Ａは安定した状態に設置することができる。
【００５２】
本実施の形態に係る植物栽培装置１Ａは、第１の実施の形態に係る植物栽培装置１と同様に植物１０１を収容し、光源４０Ｃを適宜に装着位置を選択して光源装着部２３に着脱自在に装着することができる。
【００５３】
なお、交流電源の代わりに乾電池等を電源として載置台１０に収納してもよい。この場合も、上記と同様に電線５０によって電源と光源４０Ｃとを接続する。そして、同様に重心が低い位置になるので、植物栽培装置１Ａは安定した状態に設置することができる。
【００５４】
このように、上記各実施の形態に係る植物栽培装置１，１Ａによれば、収容した植物１０１を照射するための光源の位置を適宜にかつ容易に変えることができるとともに装置全体の重心が低いので安定した状態に設置することができる。
【００５５】
また、特に光源４０，４０Ａ，４０Ｂを発光部４１と電源を備える単体のものにし、装置本体とは別体にしたものの場合には、照射光の色が異なる複数の光源４０，４０Ａ，４０Ｂを用意しておくことができる。これにより、照射光の色を変えたり、複数の異なる色の照射光を異なる位置から照射させたりできるので、観賞の際の楽しみ方を大きく広げることができる。
【００５６】
以上、本発明の実施の形態を図面によって説明してきたが、具体的な構成は前述した実施の形態に限られるものではなく、本発明の要旨を逸脱しない範囲における変更や追加があっても本発明に含まれる。例えば前記の何れの実施の形態の説明においても、筒体２０は円筒状のものを例示したが、円筒状に限らず横断面が多角形のものや楕円形の筒状のものでも良いし、その他の形状のものでも良い。
【００５７】
また、光源装着部２３や光源取付部３２は、それらの窪みの深さの異なるものを複数個所に設けてもよい。また、それらは、例示した凹状のものに限らず円や多角形の穴を筒体２０の上辺部２１や下辺部２２に穿設し、その穴の一部が上辺部２１や下辺部２２の端面にかかり、該端面にかかった部分を切り欠いた形状に形成してもよい。
【００５８】
さらに、光源４０，４０Ａ，４０Ｂ，４０Ｃを装着する位置として上辺部２１や下辺部２２や天井部３０の周縁部分に限らず、筒体２０の側壁や天井部３０の任意の位置に貫通穴やスリットを形成して、光源４０，４０Ａ，４０Ｂ，４０Ｃを装着するようにしてもよい。この場合、光源４０，４０Ａ，４０Ｂ，４０Ｃの取付部４２等は形状等を適宜に変更したものにすればよい。
【産業上の利用可能性】
【００５９】
本発明は、植物の栽培や観賞を目的とした植物栽培装置であるが、植物に限らず人工、自然物等の様々なオブジェ、アクセサリー等を収容して観賞するための収容容器としても広く適用することができる。
【符号の説明】
【００６０】
Ｃ…カップ
Ｈ…筐体
１…植物栽培装置
１Ａ…植物栽培装置
１０…載置台
１１…載置空間
１２…載置面
１３…嵌め込み溝
２０…筒体
２１…上辺部
２２…下辺部
２３…光源装着部
２４…窪み
２５…窪み
３０…天井部
３１…反射面
３２…光源取付部
４０…光源
４０Ａ…光源
４０Ｂ…光源
４０Ｃ…光源
４１…ＬＥＤ
４２…取付部
４２Ａ…取付部
４３…突起
４５…長穴
４６…スイッチ
４７…抜け止
５０…電線
１００…栽培培地
１０１…植物
【図１】
2014233201.tif 000003
【図２】
2014233201.tif 000004
【図３】
2014233201.tif 000005
【図４】
2014233201.tif 000006
【図５】
2014233201.tif 000007
【図６】
2014233201.tif 000008
【図７】
2014233201.tif 000009
【図８】
2014233201.tif 000010
【図９】
2014233201.tif 000011
【図１０】
2014233201.tif 000012
【図１１】
2014233201.tif 000013
【図１２】
2014233201.tif 000014